(57)【特許請求の範囲】
【請求項１】
撮像レンズを透過した被写体光が結像される撮像素子と、
前記撮像レンズと異なる経路で被写体の光学像を接眼部に導く光学ファインダと、
前記撮像素子に結像された画像である撮影画像が表示可能な表示手段と、
前記表示手段に表示された撮影画像を前記光学像に重畳表示させる重畳表示手段と、
前記光学ファインダの光路中に配置された遮光手段であって、前記光学像が前記接眼部で視認できない遮光状態と非遮光状態とを領域毎に切り替え可能な遮光手段と、
被写体距離を取得する取得手段と、
被写体距離と前記光学ファインダのケラレ領域との関係を記憶する記憶手段と、
前記取得された被写体距離と、前記記憶された被写体距離と前記光学ファインダのケラレ領域との関係に基づいて前記光学ファインダのケラレ領域を求めるケラレ領域取得手段と、
前記求められたケラレ領域を遮光状態とし、当該遮光状態とした領域以外の領域を非遮光状態とするように前記遮光手段を制御し、前記表示手段に前記撮影画像の前記遮光状態とした領域に相当する領域を表示する制御手段と、
を備えた撮影装置。
【請求項２】
前記記憶手段は、焦点距離と前記光学ファインダのケラレ領域との関係を記憶し、
前記取得手段は、前記撮像レンズの焦点距離を取得し、
前記ケラレ領域取得手段は、前記取得された焦点距離及び被写体距離と、前記記憶手段に記憶された被写体距離とケラレ領域との関係及び焦点距離と前記光学ファインダのケラレ領域との関係とに基づいて前記光学ファインダのケラレ領域を求める請求項１に記載の撮影装置。
【請求項３】
撮像レンズを透過した被写体光が結像される撮像素子と、
前記撮像レンズと異なる経路で被写体の光学像を接眼部に導く光学ファインダと、
前記撮像素子に結像された画像である撮影画像が表示可能な表示手段と、
前記表示手段に表示された撮影画像を前記光学像に重畳表示させる重畳表示手段と、
前記光学ファインダの光路中に配置された遮光手段であって、前記光学像が前記接眼部で視認できない遮光状態と非遮光状態とを領域毎に切り替え可能な遮光手段と、
前記撮像レンズの焦点距離を取得する取得手段と、
焦点距離と前記光学ファインダのケラレ領域との関係を記憶する記憶手段と、
前記取得された焦点距離と、前記記憶された焦点距離と前記光学ファインダのケラレ領域との関係に基づいて前記光学ファインダのケラレ領域を求めるケラレ領域取得手段と、
前記求められたケラレ領域を遮光状態とし、当該遮光状態とした領域以外の領域を非遮光状態とするように前記遮光手段を制御し、前記表示手段に前記撮影画像の前記遮光状態とした領域に相当する領域を表示する制御手段と、
を備えた撮影装置。
【請求項４】
前記記憶手段は、被写体距離と前記光学ファインダのケラレ領域との関係を記憶し、
前記取得手段は、被写体距離を取得し、
前記ケラレ領域取得手段は、前記取得された焦点距離及び被写体距離と、前記記憶手段に記憶された被写体距離とケラレ領域との関係及び焦点距離と前記光学ファインダのケラレ領域との関係とに基づいて前記光学ファインダのケラレ領域を求める請求項３に記載の撮影装置。
【請求項５】
前記撮影画像における前記光学ファインダのケラレ領域に相当する領域のコントラストを算出するコントラスト算出手段と、
前記算出されたコントラストが所定の値より小さい場合には、前記光学ファインダのケラレ領域に相当する領域よりも大きい領域であって、コントラストが前記所定の値となる領域を前記撮影画像から求める領域取得手段と、
前記求められたコントラストが前記所定の値となる領域に相当する領域を遮光領域とする遮光領域決定手段とを更に備え、
前記制御手段は、前記遮光領域を遮光状態とし、それ以外の領域を非遮光状態とするように前記遮光手段を制御する請求項１から４のいずれかに記載の撮影装置。
【請求項６】
前記撮影画像における前記光学ファインダのケラレ領域に相当する領域の各色別の画像信号に基づいて、前記撮影画像の色と前記光学像の色との差が最小となるように前記撮影画像のホワイトバランスを調整するホワイトバランス調整手段を更に備えた請求項１から５のいずれかに記載の撮影装置。
【請求項７】
前記制御手段は、前記求められたケラレ領域を遮光状態とし、それ以外の領域を非遮光状態とする状態と、前記遮光手段を全て遮光状態とする状態とを切り替え可能とする請求項１から６のいずれかに記載の撮影装置。
【請求項８】
前記撮像レンズにアクセサリがつけられたか否かを検出するアクセサリ検出手段を更に備え、
前記制御手段は、前記アクセサリがつけられたことが検出された場合には、前記遮光手段を全て遮光状態とする状態に切り替える請求項７に記載の撮影装置。
【請求項９】
前記撮像レンズにアクセサリがつけられたか否かを検出し、つけられたアクセサリの種類を検出するアクセサリ検出手段を更に備え、
前記記憶手段は、アクセサリの種類と被写体距離と前記光学ファインダのケラレ領域との関係を記憶し、
前記ケラレ領域取得手段は、被写体距離と、前記記憶されたアクセサリの種類と被写体距離と前記光学ファインダのケラレ領域との関係に基づいて前記光学ファインダのケラレ領域を求める請求項１から７のいずれかに記載の撮影装置。
【請求項１０】
前記表示手段は、前記撮影画像の範囲である撮影範囲を示す枠を表示する請求項１から９のいずれかに記載の撮影装置。
【請求項１１】
被写体距離に基づいて前記枠の位置を補正して前記表示手段に表示させる枠補正手段を更に備えた請求項１０に記載の撮影装置。
【請求項１２】
被写体距離に基づいて前記光学像と前記撮影画像との視差を補正して前記撮影画像を前記表示手段に表示させる補正手段を更に備えた請求項１から１１のいずれかに記載の撮影装置。
【請求項１３】
撮像レンズを透過した被写体光が結像される撮像素子と、前記撮像レンズと異なる経路で被写体の光学像を接眼部に導く光学ファインダと、前記撮像素子に結像された画像である撮影画像を表示する表示手段と、前記表示手段に表示された撮影画像を前記光学像に重畳表示させる重畳表示手段と、前記光学ファインダの光路中に配置された遮光手段であって、領域毎に遮光状態と非遮光状態とを切り替え可能な遮光手段と、被写体距離と前記光学ファインダのケラレ領域との関係を記憶する記憶手段とを備えたファインダの表示方法であって、
被写体距離を取得するステップと、
前記取得された被写体距離と前記記憶された被写体距離と前記光学ファインダのケラレ領域との関係に基づいて前記光学ファインダのケラレ領域を求めるステップと、
前記求められたケラレ領域を遮光状態とし、当該遮光状態とした領域以外の領域を非遮光状態とするように前記遮光手段を制御するステップと、
前記表示手段に前記撮影画像の前記遮光状態とした領域に相当する領域を表示するステップと、
を備えたファインダの表示方法。
【請求項１４】
撮像レンズを透過した被写体光が結像される撮像素子と、前記撮像レンズと異なる経路で被写体の光学像を接眼部に導く光学ファインダと、前記撮像素子に結像された画像である撮影画像を表示する表示手段と、前記表示手段に表示された撮影画像を前記光学像に重畳表示させる重畳表示手段と、前記光学ファインダの光路中に配置された遮光手段であって、領域毎に遮光状態と非遮光状態とを切り替え可能な遮光手段と、被写体距離と前記光学ファインダのケラレ領域との関係を記憶する記憶手段と、を備えたファインダの表示方法であって、
焦点距離を取得するステップと、
前記取得された焦点距離と前記記憶された焦点距離と前記光学ファインダのケラレ領域との関係に基づいて前記光学ファインダのケラレ領域を求めるステップと、
前記求められたケラレ領域を遮光状態とし、当該遮光状態とした領域以外の領域を非遮光状態とするように前記遮光手段を制御するステップと、
前記表示手段に前記撮影画像の前記遮光状態とした領域に相当する領域を表示するステップと、
を備えたファインダの表示方法。
【発明の詳細な説明】
【技術分野】
【０００１】
本発明は撮影装置及びファインダの表示方法に係り、特に光学ファインダと電子ビューファインダを併用する撮影装置及びファインダの表示方法に関する。
【背景技術】
【０００２】
特許文献１には、撮影レンズにより結像された光学画像を確認する光学ファインダ（ＯＶＦ）と撮像素子により生成された電子画像をファインダ内に表示する電子ビューファインダ（ＥＶＦ）とを有する撮像装置が開示されている。特許文献１に記載の撮像装置は、ＯＶＦとＥＶＦとの何れが有利であるかを判別し、近距離撮影であることが検知された場合には、パララックスのないＥＶＦの表示を行うよう切り換える。
【先行技術文献】
【特許文献】
【０００３】
【特許文献１】特開２０１０−００２４７５号公報
【発明の概要】
【発明が解決しようとする課題】
【０００４】
しかしながら、特許文献１に記載の発明では、ＥＶＦの表示を行うよう切り替えられた場合には光学像を確認することができないという問題がある。ＥＶＦの表示は、撮影から表示までにタイムラグがある上、電子像より光学像の方がクリアであるため、光学ファインダを使用したい。例えば、撮影レンズ等でケラレ（Vignetting, Optical vignetting）が発生する場合にＥＶＦの表示を行うように切り替えられた場合には、ケラレにより視認できない領域は一部であるにもかかわらず、全体が電子像になってしまう。【０００５】
本発明はこのような事情に鑑みてなされたもので、ケラレにより一部光学像が視認できない場合にもＯＶＦを用いて被写体全体を確認することができる撮影装置及びファインダの表示方法を提供することを目的とする。
【課題を解決するための手段】
【０００６】
本発明の一の態様に係る撮影装置は、撮像レンズを透過した被写体光が結像される撮像素子と、撮像レンズと異なる経路で被写体の光学像を接眼部に導く光学ファインダと、撮像素子に結像された画像である撮影画像が表示可能な表示手段と、表示手段に表示された撮影画像を光学像に重畳表示させる重畳表示手段と、光学ファインダの光路中に配置された遮光手段であって、光学像が接眼部で視認できない遮光状態と非遮光状態とを領域毎に切り替え可能な遮光手段と、被写体距離を取得する取得手段と、被写体距離と光学ファインダのケラレ領域との関係を記憶する記憶手段と、取得手段により取得された被写体距離と、記憶手段に記憶された被写体距離と光学ファインダのケラレ領域との関係に基づいて光学ファインダのケラレ領域を求めるケラレ領域取得手段と、ケラレ領域取得手段により求められたケラレ領域を遮光状態とし、遮光状態とした領域以外の領域を非遮光状態とするように遮光手段を制御し、表示手段に撮影画像の遮光状態とした領域に相当する領域を表示する制御手段とを備える。【０００７】
本発明の一の態様に係る撮影装置によれば、取得手段により取得された被写体距離と、記憶手段に記憶された被写体距離と光学ファインダのケラレ領域との関係に基づいて、光学ファインダのケラレ領域を求める。そして、領域毎に遮光状態と非遮光状態とを切り替え可能な遮光手段により、ケラレ領域を光学像が視認できない遮光状態とし、遮光状態とした領域以外の領域を非遮光状態とする。これにより、ケラレが発生した場合にも、視野全体を主に光学像で確認することができる。【０００８】
本発明の他の態様に係る撮影装置において、記憶手段は、焦点距離と光学ファインダのケラレ領域との関係を記憶し、取得手段は、撮像レンズの焦点距離を取得し、ケラレ領域取得手段は、取得手段により取得された焦点距離及び被写体距離と、記憶手段に記憶された被写体距離とケラレ領域との関係及び焦点距離と光学ファインダのケラレ領域との関係とに基づいて光学ファインダのケラレ領域を求めてもよい。これにより、ズーム手段を有し焦点距離が変わる場合において、ケラレが発生した場合にも、視野全体を主に光学像で確認することができる。【０００９】
本発明の一の態様に係る撮影装置は、撮像レンズを透過した被写体光が結像される撮像素子と、撮像レンズと異なる経路で被写体の光学像を接眼部に導く光学ファインダと、撮像素子に結像された画像である撮影画像が表示可能な表示手段と、表示手段に表示された撮影画像を光学像に重畳表示させる重畳表示手段と、光学ファインダの光路中に配置された遮光手段であって、光学像が接眼部で視認できない遮光状態と非遮光状態とを領域毎に切り替え可能な遮光手段と、前記撮像レンズの焦点距離を取得する取得手段と、焦点距離と光学ファインダのケラレ領域との関係を記憶する記憶手段と、取得手段により取得された焦点距離と、記憶手段に記憶された焦点距離と光学ファインダのケラレ領域との関係に基づいて光学ファインダのケラレ領域を求めるケラレ領域取得手段と、ケラレ領域取得手段により求められたケラレ領域を遮光状態とし、遮光状態とした領域以外の領域を非遮光状態とするように遮光手段を制御し、表示手段に撮影画像の遮光状態とした領域に相当する領域を表示する制御手段とを備える。【００１０】
本発明の一の態様に係る撮影装置によれば、取得手段により取得された焦点距離と、記憶手段に記憶された焦点距離と光学ファインダのケラレ領域との関係に基づいて、光学ファインダのケラレ領域を求める。そして、領域毎に遮光状態と非遮光状態とを切り替え可能な遮光手段により、ケラレ領域を光学像が視認できない遮光状態とし、それ以外の領域を非遮光状態とする。これにより、ケラレが発生した場合にも、視野全体を主に光学像で確認することができる。【００１１】
本発明の他の態様に係る撮影装置において、記憶手段は、被写体距離と光学ファインダのケラレ領域との関係を記憶し、取得手段は、被写体距離を取得し、ケラレ領域取得手段は、取得手段により取得された焦点距離及び被写体距離と、記憶手段に記憶された被写体距離とケラレ領域との関係及び焦点距離と光学ファインダのケラレ領域との関係とに基づいて光学ファインダのケラレ領域を求めてもよい。これにより、ズーム手段を有し焦点距離が変わる場合において、ケラレが発生した場合にも、視野全体を主に光学像で確認することができる。【００１２】
本発明の他の態様に係る撮影装置は、撮影画像における光学ファインダのケラレ領域に相当する領域のコントラストを算出するコントラスト算出手段と、コントラスト算出手段により算出されたコントラストが所定の値より小さい場合には、光学ファインダのケラレ領域に相当する領域よりも大きい領域であって、コントラストが所定の値となる領域を撮影画像から求める領域取得手段と、領域取得手段により求められたコントラストが所定の値となる領域に相当する領域を遮光領域とする遮光領域決定手段とを備え、制御手段は、遮光領域を遮光状態とし、それ以外の領域を非遮光状態とするように遮光手段を制御してもよい。これにより、光学像と電子像とのつなぎ目を目立たなくすることができる。【００１３】
本発明の他の態様に係る撮影装置は、撮影画像における光学ファインダのケラレ領域に相当する領域の各色別の画像信号に基づいて、撮影画像の色と光学像の色との差が最小となるように撮影画像のホワイトバランスを調整するホワイトバランス調整手段を備えてもよい。これにより、光学像と電子像とのつなぎ目を目立たなくすることができる。【００１４】
本発明の他の態様に係る撮影装置において、制御手段は、ケラレ領域取得手段により求められたケラレ領域を遮光状態とし、それ以外の領域を非遮光状態とする状態と、遮光手段を全て遮光状態とする状態とを切り替え可能としてもよい。これにより、必要に応じて電子像のみが表示されるＥＶＦモードとすることができる。【００１５】
本発明の他の態様に係る撮影装置は、撮像レンズにアクセサリがつけられたか否かを検出するアクセサリ検出手段を備え、制御手段は、アクセサリがつけられたことが検出された場合には、遮光手段を全て遮光状態とする状態に切り替えてもよい。これにより、アクセサリがつけられた場合にはケラレが大きいと想定されるので、このような場合にはＥＶＦモードとすることができる。
【００１６】
本発明の他の態様に係る撮影装置は、撮像レンズにアクセサリがつけられたか否かを検出し、つけられたアクセサリの種類を検出するアクセサリ検出手段を備え、記憶手段は、アクセサリの種類と被写体距離と光学ファインダのケラレ領域との関係を記憶し、ケラレ領域取得手段は、取得手段により取得された被写体距離と、記録手段に記憶されたアクセサリの種類と被写体距離と光学ファインダのケラレ領域との関係に基づいて光学ファインダのケラレ領域を求めてもよい。これにより、アクセサリがつけられた場合にも、主に光学像で被写体を確認できる。
【００１７】
本発明の他の態様に係る撮影装置において、表示手段は、撮影画像の範囲である撮影範囲を示す枠を表示してもよい。これにより、ユーザに撮影範囲を示すことができる。【００１８】
本発明の他の態様に係る撮影装置は、取得手段により取得された被写体距離に基づいて枠の位置を補正して表示手段に表示させる枠補正手段を備えてもよい。これにより、被写体距離に関わらず正確な撮影範囲を光学像上で確認でき、ケラレが発生してもこの領域の画像が視認可能となっていることが明確となる。【００１９】
本発明の他の態様に係る撮影装置は、取得手段により取得された被写体距離に基づいて光学像と撮影画像との視差を補正して撮影画像を表示手段に表示させる補正手段を備えてもよい。これにより、光学像と電子像とを正確に重畳表示することができる。【００２０】
本発明の一の態様に係るファインダの表示方法は、撮像レンズを透過した被写体光が結像される撮像素子と、撮像レンズと異なる経路で被写体の光学像を接眼部に導く光学ファインダと、撮像素子に結像された画像である撮影画像を表示する表示手段と、表示手段に表示された撮影画像を光学像に重畳表示させる重畳表示手段と、光学ファインダの光路中に配置された遮光手段であって、領域毎に遮光状態と非遮光状態とを切り替え可能な遮光手段と、被写体距離と光学ファインダのケラレ領域との関係を記憶する記憶手段とを備える撮影装置に適用されるものであり、被写体距離を取得するステップと、取得手段により取得された被写体距離と、記憶手段に記憶された被写体距離と光学ファインダのケラレ領域との関係に基づいて光学ファインダのケラレ領域を求めるステップと、求めたケラレ領域を遮光状態とし、遮光状態とした領域以外の領域を非遮光状態とするように遮光手段を制御するステップと、表示手段に撮影画像の遮光状態とした領域に相当する領域を表示するステップとを備える。【００２１】
本発明の他の態様に係るファインダの表示方法は、撮像レンズを透過した被写体光が結像される撮像素子と、撮像レンズと異なる経路で被写体の光学像を接眼部に導く光学ファインダと、撮像素子に結像された画像である撮影画像を表示する表示手段と、表示手段に表示された撮影画像を光学像に重畳表示させる重畳表示手段と、光学ファインダの光路中に配置された遮光手段であって、領域毎に遮光状態と非遮光状態とを切り替え可能な遮光手段と、被写体距離と光学ファインダのケラレ領域との関係を記憶する記憶手段とを備える撮影装置に適用されるものであり、焦点距離を取得するステップと、取得手段により取得された焦点距離と、記憶手段に記憶された焦点距離と光学ファインダのケラレ領域との関係に基づいて光学ファインダのケラレ領域を求めるステップと、求めたケラレ領域を遮光状態とし、遮光状態とした領域以外の領域を非遮光状態とするように遮光手段を制御するステップと、表示手段に撮影画像の遮光状態とした領域に相当する領域を表示するステップとを備える。
【発明の効果】
【００２２】
本発明によれば、ケラレにより一部光学像が視認できない場合にもＯＶＦを用いて被写体全体を確認することができる。
【図面の簡単な説明】
【００２３】
【図１】デジタルカメラの外観構成を示す正面斜視図
【図２】デジタルカメラの外観構成を示す背面斜視図
【図３】デジタルカメラの上面断面図
【図４】第１の実施形態に係るデジタルカメラの電気的構成を示すブロック図
【図５】ファインダ表示の選択処理を示すフローチャート
【図６】ハイブリッドファインダの表示のイメージを示す図
【図７】液晶シャッタの遮光について説明する図
【図８】液晶板の表示について説明する図
【図９】ハイブリッドファインダの表示のイメージを示す図
【図１０】第２の実施形態に係るファインダ表示の選択処理を示すフローチャート
【図１１】第３の実施形態に係るファインダ表示の選択処理を示すフローチャート
【図１２】第４の実施形態に係るファインダ表示の選択処理を示すフローチャート
【発明を実施するための形態】
【００２４】
以下、添付図面に従って本発明に係る撮影装置を実施するための形態について詳細に説明する。
【００２５】
＜第１の実施の形態＞
［撮像装置の構成の説明］
図１、図２は、それぞれ本実施形態に係るデジタルカメラ１０の外観構成を示す正面斜視図と背面斜視図である。
【００２６】
図１に示すように、本実施の形態のデジタルカメラ１０は、カメラ本体１２と、そのカメラ本体１２に取り付けられた撮影レンズ１４とを備えている。撮影レンズ１４は、その焦点距離を変更可能に構成されたズームレンズ群を有している。なお、撮影レンズ１４は、レンズ側マウントとカメラ側マウントにより着脱自在に構成してもよい。
【００２７】
カメラ本体１２の正面には、ＡＦ（Automatic Focus）補助光ランプ１６、ファインダ切り替えレバー１８、ファインダ対物部２０、グリップ２２等が設けられており、上面には、シャッタボタン（レリーズボタン）２４、電源レバー２６、露出補正ダイヤル３０、シャッタスピードダイヤル３１、アクセサリーシュー３４、ストロボ３６等が設けられている。
【００２８】
また、カメラ本体１２の背面には、ファインダ接眼部３８、ズームレバー４０、液晶モニタ３２、十字ボタン４８、ＲＡＷボタン５０、バックボタン５２、ＡＥ（Automatic Exposure Adjustment）選択ボタン５４、ＡＦ選択ボタン５６、再生ボタン５８等が設けられている。
【００２９】
被写体像の確認は、ファインダ接眼部３８を介して行われる。このファインダ接眼部３８を覗くことにより、撮影者は被写体像を観察することができる。シャッタボタン２４は全押しと半押しからなる２段式となっている。シャッタボタン２４の半押し時にＡＥ及びＡＦ動作を行い、全押し時に本撮影を行う。本撮影では、撮影により得られた画像（本撮影画像）がメモリカード（図４の２４０）に記録される。また、メモリカード２４０に記録した画像は、デジタルカメラ１０のモードを再生モードに設定することにより（本実施の形態では、再生ボタン５８の押下）、液晶モニタ３２に再生表示される。
【００３０】
図３は、デジタルカメラ１０の上面断面図である。同図に示すように、デジタルカメラ１０は、ＣＣＤ（Charge Coupled Device）１００、液晶板１１０、ＥＶＦ（Electronic View Finder）レンズ１１２、対物レンズ１２０、プリズム１２２、接眼レンズ１２４、液晶シャッタ１２６、ファインダ窓１２８を備えている。
【００３１】
撮影レンズ１４を透過した被写体光は、ＣＣＤ１００の受光面に入射する。被写体光を受光したＣＣＤ１００は、２次元配列された各センサにより入射光量に応じた量の信号電荷に変換する。この信号電荷から、各種信号処理回路により画像信号が生成される。このように生成された画像信号に基づいて、被写体像を左右反転した画像が液晶板１１０に表示される。
【００３２】
液晶板１１０は、例えば、１６００×９００画素の解像度を有する液晶パネルである。液晶板１１０には、被写体像を反転した画像とともに、撮影レンズ１４の焦点距離（画角）に基づいて、ＣＣＤ１００の受光面に入射した被写体光の範囲である撮影範囲を示すフレームが表示される。
【００３３】
液晶板１１０の図面下方には、ＥＶＦレンズ１１２が設けられている。また、ＥＶＦレンズ１１２と接眼レンズ１２４との間には、プリズム１２２が配置されている。
【００３４】
プリズム１２２は、第１プリズム１２２ａと第２プリズム１２２ｂとから構成されている。第１プリズム１２２ａと第２プリズム１２２ｂとが接合する部分には、ハーフミラー面１２２Ｍが形成されている。このハーフミラー面１２２Ｍは、ＥＶＦレンズ１１２の光軸に対して４５°傾けられて設置される。液晶板１１０に表示された画像は、ＥＶＦレンズ１１２によって拡大され、ハーフミラー面１２２Ｍによって左右が反転されて図面右方向に反射される。ハーフミラー面１２２Ｍによって反射された画像（正立正像）は、接眼レンズ１２４に入射する。
【００３５】
ファインダ対物部２０には、撮影レンズ１１４とは異なる経路（光路）から被写体光が入射する。ファインダ対物部２０には、ファインダ窓１２８から被写体光が入射する。ファインダ窓１２８の光路後段には、液晶シャッタ１２６及び対物レンズ１２０が順に配置されている。
【００３６】
液晶シャッタ１２６は、ファインダ窓１２８から入射した被写体光の光軸と垂直となるように、ファインダ窓１２８及び対物レンズ１２０と平行に配置されている。液晶シャッタ１２６は、一対の基板間に封止された液晶層を有し、液晶層に印加する電圧により偏光方向が変化する液晶パネルである。
【００３７】
液晶シャッタ１２６は、液晶板１１０の表示解像度と同じ１６００×９００画素の解像度を有している。液晶シャッタ１２６は、表示制御回路２４２（図４参照）の制御により、ファインダ窓１２８から入射した被写体光を遮光する遮光状態と、被写体光を透過させる透過状態（非遮光状態）とを画素毎に切り替え可能に構成されている。
【００３８】
対物レンズ１２０は、ズームレンズ群を有している。対物レンズ１２０の焦点距離は、撮影レンズ１４の焦点距離に応じて変更可能に構成され、撮影レンズ１４の撮影範囲を視認可能に調整される。
【００３９】
上記のように構成された液晶シャッタ１２６の全領域（全画素）を透過状態とすると、撮影レンズ１１４とは異なる光路からファインダ対物部２０に入射した被写体光は、液晶シャッタ１２６を介して対物レンズ１２０に入射し、さらにハーフミラー面１２２Ｍを透過し、接眼レンズ１２４に入射する。対物レンズ１２０には凹レンズ、接眼レンズ１２４には凸レンズが用いられており、逆ガリレオタイプのファインダを構成している。
【００４０】
このように、デジタルカメラ１０は、ファインダ対物部２０から入射した被写体光をファインダ接眼部３８に導く光学ファインダ（ＯＶＦ）を備えており、液晶板１１０に表示された映像をファインダ接眼部３８に導く電子ファインダ（ＥＶＦ）を備えている。そして、両者がハーフミラー面１２２Ｍにより同一光路上に配置されることで、その映像が重畳されてファインダ接眼部３８へ導かれる。
【００４１】
なお、デジタルカメラ１０の場合、撮影レンズ１４やＣＣＤ１００から構成されるＥＶＦの撮像部と、ファインダ対物部２０やファインダ接眼部３８から構成されるＯＶＦとは、光軸が異なり、視差を有している。したがって、ＣＣＤ１００が受光した被写体像に基づいて生成された画像信号をそのまま液晶板１１０に表示させると、同一被写体であってもＯＶＦの映像内とＥＶＦの画像内の位置が異なってしまう。即ち、同一被写体の位置が一致するようにＯＶＦの映像とＥＶＦの画像とを重畳表示させるためには、視差の補正を行う必要がある。
【００４２】
視差の補正を行うためには、デジタルカメラ１０と各被写体との距離を測定する必要がある。各被写体との距離は、後述するＡＦの情報を用いることで算出することができる。なお、異なる方法によって各被写体との距離を測定してもよい。
【００４３】
次に、画像信号処理回路２３４（図４参照）において、上記のように算出したデジタルカメラ１０と各被写体との距離に基づいて、予め生成しておいた撮影画像（ＣＣＤ１００によって撮影された画像）の各被写体を、ＯＶＦの映像の同一被写体の位置と一致するように移動させる。
【００４４】
このように生成した画像を液晶板１１０に表示させると、ＯＶＦの映像の各被写体の位置とＥＶＦの画像の各被写体の位置とが一致した状態で、ファインダ接眼部３８に導かれる。
【００４５】
また、ＯＶＦの光学系（対物レンズ１２０及び接眼レンズ１２４）とＥＶＦの光学系（撮影レンズ１４）との画角が異なる場合は、画角の差に基づいてＣＣＤ１００によって撮影された画像を拡大又は縮小して液晶板１１０に表示すればよい。
【００４６】
〔カメラの電気的構成〕
図４は、デジタルカメラ１０の電気的構成を示すブロック図である。同図に示すように、デジタルカメラ１０は、液晶モニタ３２、ＣＣＤ１００、液晶板１１０、液晶シャッタ１２６、ＣＰＵ（Central Processing Unit）２１０、操作部（シャッタボタン、電源レバー、露出補正ダイヤル、シャッタスピードダイヤル、ズームレバー、十字ボタン、バックボタン、再生ボタン等の各種操作ボタン）２１２、ＲＯＭ（Read-Only Memory）２１６、ＥＥＰＲＯＭ（Electrically Erasable Programmable Read-Only Memory）２１８、メモリ（ＳＤＲＡＭ（Synchronous Dynamic Random Access Memory））２２０、ＶＲＡＭ（Video Random Access Memory）２２２、タイミングジェネレータ（ＴＧ）２２６、アナログ信号処理回路２２８、Ａ／Ｄ変換器２３０、画像入力コントローラ２３２、画像信号処理回路２３４、圧縮・伸張処理回路２３６、メディアコントローラ２３８、メモリカード２４０、表示制御回路２４２を備えている。
【００４７】
ＣＰＵ２１０は、カメラ本体１２に装着された撮影レンズ１４を含むデジタルカメラ１０全体の動作を統括制御する制御部として機能する。ＣＰＵ２１０は、操作部２１２からの入力に基づき所定の制御プログラムに従ってデジタルカメラの各部を制御する。
【００４８】
ＲＯＭ２１６には、このＣＰＵ２１０が実行する制御プログラム及び制御に必要な各種データ等が格納されている。ＥＥＰＲＯＭ２１８には、ユーザ設定情報等のデジタルカメラの動作に関する各種設定情報等が格納されている。
【００４９】
メモリ（ＳＤＲＡＭ）２２０は、ＣＰＵ２１０の演算作業用領域として利用されると共に、画像データの一時記憶領域として利用される。ＶＲＡＭ２２２は、表示用の画像データ専用の記憶領域として利用される。
【００５０】
撮影レンズ１４は、ドライバ２０４により焦点距離が変更される。ＣＰＵ２１０は、ユーザが行ったズームレバー４０の操作に応じて、ドライバ２０４を制御し、撮影レンズ１４内のズームレンズを移動させて焦点距離を変更する。
【００５１】
また、対物レンズ１２０は、ズームドライバ２０６により焦点距離が変更される。ＣＰＵ２１０は、ユーザが行ったズームレバー４０の操作に応じて、ズームドライバ２０６を制御し、対物レンズ１２０の焦点距離を変更する。これにより、ファインダ接眼部３８から観察可能なＯＶＦの映像が、撮影レンズ１４の焦点距離に応じた映像に調整される。
【００５２】
ＣＣＤ１００は、撮影レンズ１４の後段に配置されており、撮影レンズ１４を透過した被写体光を受光する。ＣＣＤ１００は、多数の受光素子がマトリクス状に配列された受光面を備えている。撮影レンズ１４を透過した被写体光は、このＣＣＤ１００の受光面上に結像され、各受光素子によって電気信号に変換される。なお、撮像素子としては、ＣＣＤ１００に代えて、ＣＭＯＳ（Complementary Metal Oxide Semiconductor）を用いてもよい。
【００５３】
このＣＣＤ１００は、タイミングジェネレータ（ＴＧ）２２６から供給される垂直転送クロック及び水平転送クロックに同期して、各画素に蓄積された電荷を１ラインずつシリアルな画像信号として出力する。ＣＰＵ２１０は、ＴＧ２２６を制御して、ＣＣＤ１００の駆動を制御する。
【００５４】
なお、各画素の電荷蓄積時間（露出時間）は、ＴＧ２２６から与えられる電子シャッタ駆動信号によって決められる。ＣＰＵ２１０は、ＴＧ２２６に対して電荷蓄積時間を指示する。
【００５５】
また、画像信号の出力は、デジタルカメラ１０が撮影モードにセットされると開始される。すなわち、デジタルカメラ１０が撮影モードにセットされると、液晶モニタ３２にライブビュー画像（スルー画像）を表示するため、画像信号の出力が開始される。このスルー画像用の画像信号の出力は、本撮影の指示が行われると一旦停止され、本撮影が終了すると再度開始される。
【００５６】
ＣＣＤ１００から出力される画像信号は、アナログ信号である。このアナログの画像信号は、アナログ信号処理回路２２８に取り込まれる。
【００５７】
アナログ信号処理回路２２８は、相関二重サンプリング回路（ＣＤＳ）、及び自動ゲインコントロール回路（ＡＧＣ）を含んでいる。ＣＤＳは、画像信号に含まれるノイズの除去を行う。ＡＧＣは、ノイズ除去された画像信号を所定のゲインで増幅する。このアナログ信号処理回路２２８で所要の信号処理が施されたアナログの画像信号は、Ａ／Ｄ変換器２３０に取り込まれる。
【００５８】
Ａ／Ｄ変換器２３０は、取り込んだアナログの画像信号を所定ビットの階調幅を持ったデジタルの画像信号に変換する。この画像信号は、いわゆるＲＡＷデータであり、画素毎Ｒ、Ｇ、Ｂの濃度を示す階調値を有している。
【００５９】
画像入力コントローラ２３２は、所定容量のラインバッファを内蔵しており、Ａ／Ｄ変換器２３０から出力された１コマ分の画像信号を蓄積する。この画像入力コントローラ２３２に蓄積された１コマ分の画像信号は、バス２１４を介してメモリ（ＳＤＲＡＭ）２２０に格納される。
【００６０】
バス２１４には、上記ＣＰＵ２１０、メモリ２２０、画像入力コントローラ２３２の他、画像信号処理回路２３４、圧縮・伸張処理回路２３６、表示制御回路２４２、メディアコントローラ２３８等が接続されており、これらはバス２１４を介して互いに情報を送受信できるようにされている。
【００６１】
メモリ２２０に格納された１コマ分の画像信号は、点順次（画素の順番）に画像信号処理回路２３４に取り込まれる。
【００６２】
画像信号処理回路２３４は、点順次に取り込んだＲ、Ｇ、Ｂの各色の画像信号に対して所定の信号処理を施し、輝度信号Ｙと色差信号Ｃｒ、Ｃｂとからなる画像信号（Ｙ／Ｃ信号）を生成する。
【００６３】
ＡＦ検出回路２５０は、ＣＰＵ２１０の指令に従い、メモリ２２０に格納されたＲ、Ｇ、Ｂの画像信号を取り込み、ＡＦ（Automatic Focus）制御に必要な焦点評価値を算出する。このＡＦ検出回路２５０は、Ｇ信号の高周波成分のみを通過させるハイパスフィルタ、絶対値化処理部、画面に設定された所定のフォーカス領域（以下、ＡＦエリアという）内の信号を切り出すＡＦエリア抽出部、及び、ＡＦエリア内の絶対値データを積算する積算部を含んでいる。ＡＦ検出回路２５０は、この積算部で積算されたＡＦエリア内の絶対値データを焦点評価値としてＣＰＵ２１０に出力する。焦点評価値に基づくフォーカスレンズ群（撮影レンズ１４に含まれる）の制御方式としては、焦点評価値が極大となる位置をサーチし、その位置にドライバ２０４を介してフォーカスレンズを移動させる方式や、フォーカスレンズ群を焦点評価値が増加する方向に移動させて行き、焦点評価値が減少し始める点を検出するとその位置にフォーカスレンズ群を設定する山登り方式を用いることができる。また、位相差を用いる位相差ＡＦ用の撮像素子を別途配設し、位相差ＡＦ用の撮像素子により検出された位相差を用いてＡＦを行う位相差方式を用いてもよい。
【００６４】
ＡＥ・ＡＷＢ検出回路２５２は、メモリ２２０に格納されたＲ、Ｇ、Ｂの画像信号を取り込み、画面全体のＧ信号を積算するか、又は画面中央部と周辺部とで異なる重みづけをしたＧ信号を積算する。ＡＥ・ＡＷＢ検出回路２５２は、そのＡＥ制御に必要な積算値をＣＰＵ２１０に出力する。ＣＰＵ２１０は、積算値から輝度値を算出し、輝度値から露出値を求める。また、ＡＥ・ＡＷＢ検出回路２５２は、露出値から所定のプログラム線図に従って、絞り値及びシャッタ速度を決定する。
【００６５】
また、ＡＥ・ＡＷＢ検出回路２５２は、ＡＷＢ制御に必要な物理量として、１画面を複数のエリア（例えば、１６×１６）に分割し、分割したエリア毎にＲ、Ｇ、Ｂの画像信号の色別の平均積算値を算出する。ＣＰＵ２１０は、得られたＲの積算値、Ｂの積算値、Ｇの積算値から分割エリア毎にＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、例えば、各比の値がおよそ１（つまり、１画面においてＲＧＢの積算比率がＲ：Ｇ：Ｂ＝１：１：１）になるように、ホワイトバランス調整回路のＲ、Ｇ、Ｂ信号に対するゲイン値（ホワイトバランス補正値）を決定する。ＡＥ・ＡＷＢ検出回路２５２は、メモリ２２０に格納された１コマ分の画像信号に光源種に応じたデジタルゲインをかけることでホワイトバランス調整を行い、ガンマ（階調特性）処理及びシャープネス処理を行ってＲ、Ｇ、Ｂ信号を生成する。
【００６６】
圧縮・伸張処理回路２３６は、ＣＰＵ２１０からの指令に従って、画像信号処理回路２３４で生成された画像データに所定の圧縮処理を施し、圧縮画像データを生成する。また、圧縮・伸張処理回路２３６は、圧縮された画像データに所定の伸張処理を施して、非圧縮の画像データを生成する。
【００６７】
メディアコントローラ２３８は、ＣＰＵ２１０からの指令に従い、撮影により得られた画像データをメモリカード２４０に記録し、また、記録済み画像をメモリカード２４０から読み出す。
【００６８】
表示制御回路２４２は、ＣＰＵ２１０からの指令に従い液晶モニタ３２及び液晶板１１０への表示を制御する。また、詳細は後述するが、液晶シャッタ１２６を制御する。
【００６９】
［撮像装置の動作の説明］
以上のように構成されたデジタルカメラ１０の画像記録の手順について説明する。
【００７０】
図５は、ファインダ表示（ファインダ対物部２０から入射した被写体の光学像を視認するＯＶＦ、又はＣＣＤ１００に結像された被写体の電子像を視認するＥＶＦ）の選択処理を示すフローチャートである。
【００７１】
ＣＰＵ２１０は、ファインダのモードを判定する（ステップＳ１）。ファインダのモードは、ファインダ切り替えレバー１８の位置に基づいて入力される信号に基づいてＯＶＦモード、ＥＶＦモードを判定される。
【００７２】
ＥＶＦモードの場合（ステップＳ１でＥＶＦ）には、ＣＰＵ２１０は、液晶シャッタ１２６を閉じて全遮光状態とし、ファインダ対物部２０から入射した被写体の光学像を視認できないようにする（ステップＳ２）。ＣＣＤ１００には、撮影レンズ１４を透過した被写体光が連続的に結像され、その画像信号が連続的に処理されて、撮影確認画像用の画像データが生成される。ＣＰＵ２１０は、生成された画像データを順次表示制御回路２４２に加え、画像データはモニタ表示用の信号形式に変換されて液晶板１１０に出力される（ステップＳ３）。これにより、撮影確認画像用の画像データがファインダ接眼部３８で視認可能となる。
【００７３】
ＣＰＵ２１０は、この段階で、光学像をＯＶＦで視認させると同時に、撮影範囲を示す枠をＥＶＦで光学像に重畳表示させてもよい。ＣＰＵ２１０は画像信号処理回路２３４に枠の画像を出力し、画像信号処理回路２３４は、撮影画像の大きさで、枠の中心と液晶板１１０の中心とが一致するように、ＣＣＤ１００で撮影される画像である撮影画像の範囲（撮影範囲）を示す枠Ｆ（図６参照）を液晶板１１０に表示させる。
【００７４】
ＯＶＦモードの場合（ステップＳ１でＯＶＦ）には、ＣＰＵ２１０は被写体距離を取得する（ステップＳ４）。被写体距離は、例えば、ＡＦ検出回路２５０に焦点評価値を算出させ、焦点評価値に基づいてフォーカスレンズを移動させ、その移動量（フォーカスパルスの数）に基づいて求めることができる。位相差ＡＦ用の撮像素子を有する場合には、位相差から被写体距離を算出することもできる。被写体距離が取得されると視差の補正が可能となるため、枠が表示されている場合には、画像信号処理回路２３４は撮影画像の各被写体がＯＶＦの光学像の同一被写体の位置と一致するように枠の位置を移動させる。
【００７５】
ＣＰＵ２１０は、焦点距離を算出する（ステップＳ５）。焦点距離は、例えば、ズームレンズの位置に基づいて算出することができる。焦点距離が取得されると視差の補正が可能となるため、枠が表示されている場合には、画像信号処理回路２３４は撮影画像の各被写体がＯＶＦの光学像の同一被写体の位置と一致するように枠の位置を移動させる。
【００７６】
ＣＰＵ２１０は、ステップＳ４、Ｓ５で算出された被写体距離及び焦点距離に基づいてＯＶＦにケラレが発生するか否かを判断する（ステップＳ６）。本実施の形態において、ケラレとは、撮影レンズ１４等がＯＶＦの画面内に写り込むことで、本来視認されるべき被写体が視認されない現象を意味する。
【００７７】
ケラレが発生する場合としては、例えば、以下の場合が考えられる。
【００７８】
第１は、マクロ撮影などの被写体距離が近い場合である。被写体距離が近い場合には、撮影レンズ１４により光学像の一部にケラレが発生する。また、マクロ撮影の場合にはＯＶＦの光学像とＣＣＤ１００に結像される画像との視差が大きくなるため、ステップＳ４、Ｓ５で枠の位置が移動されると、ケラレが発生する可能性がより高くなる。
【００７９】
第２は、撮影レンズが繰り出される場合である。撮影レンズ１４に凹凸の２グループのレンズ群から構成されるズームレンズが含まれる場合には、広角側で撮影レンズ１４の全長が伸びる。撮影レンズ１４に凸凹凸の３グループのレンズ群から構成されるズームレンズが含まれる場合には、望遠側で撮影レンズ１４の全長が伸びる。撮影レンズ１４の全長が伸びる場合には、その分だけ撮影レンズ１４により光学像の一部にケラレが発生する可能性が高くなる。
【００８０】
第３は、焦点距離が短い場合である。撮影レンズ１４にどのようなズームレンズを用いた場合であっても、焦点距離が短い場合には画角が広くなる。このため、撮影レンズ１４が画角に入り込む可能性が高くなる、すなわち撮影レンズ１４により光学像の一部にケラレが発生する可能性が高くなる。また、撮影レンズ１４にインナーフォーカス式のズームレンズが含まれる場合には、ズームレンズを固定していたとしても、フォーカス位置を変更すると焦点距離が短くなり、撮影レンズ１４により光学像の一部にケラレが発生する場合がある。
【００８１】
ＥＥＰＲＯＭ２１８には、被写体距離及び焦点距離と、撮影レンズ１４によるケラレの発生の有無及びケラレ領域の位置との関係が記憶されている。したがって、ＣＰＵ２１０は、この関係を参照することで、算出された被写体距離及び焦点距離の場合にケラレが発生するか否かを判断し、ケラレが発生するのであればケラレ領域の位置を判断する。ここでケラレ領域とは、撮影レンズ１４等がＯＶＦの画面内に写り込んでいる領域、すなわち本来視認される被写体が視認できていない領域を意味する。
【００８２】
ケラレが発生しない場合（ステップＳ６でＮＯ）には、ＣＰＵ２１０は、液晶シャッタ１２６を開けて非遮光状態とする（ステップＳ７）。これにより、光学像がファインダ接眼部３８で視認可能となる。
【００８３】
そして、まだ枠が表示されていない場合には、ＣＰＵ２１０は、枠Ｆ（図６参照）を液晶板１１０に表示させる（ステップＳ８）。その結果、光学像に枠が重畳表示されたものがファインダ接眼部３８で視認可能となる。
【００８４】
ケラレが発生する場合（ステップＳ６でＹＥＳ）には、ＣＰＵ２１０は、ステップＳ６で判断されたケラレ領域の液晶シャッタ１２６を閉じて遮光状態とする（ステップＳ９）。図６はケラレが発生した場合の一例であり、ファインダ接眼部３８で視認される光学像Ｏの右下にケラレＫが発生している。ＣＣＤ１００では枠Ｆの内側の画像を取得しているため、ＥＶＦでは枠Ｆ（撮影範囲）の内側のみが表示可能である。したがって、ＣＰＵ２１０は、図７に示すように、液晶シャッタ１２６のケラレ領域Ｋの内側かつ撮影範囲（枠Ｆ）の内側の領域Ｋ’の部分を閉じて遮光状態とする。ステップＳ４、Ｓ５で被写体距離及び焦点距離が取得されているため、ＣＰＵ２１０は視差補正後の撮影画像の位置に基づいてケラレ領域を遮光する。
【００８５】
また、ＣＰＵ２１０は、ＣＣＤ１００で撮影された撮影画像のステップＳ９で遮光状態とした領域に相当する領域の画像を液晶板１１０に表示させる（ステップＳ１０）。まだ枠が表示されていない場合には、ＣＰＵ２１０は、枠Ｆ（図６参照）を液晶板１１０に表示させる。ステップＳ９では、図７に示すように液晶シャッタ１２６の領域Ｋ’が遮光されているため、ステップＳ１０では図８に示すように領域Ｋ’に相当する部分のみを液晶板１１０に表示させる。既に説明したように、液晶板１１０の表示は左右反転されるため、図８は図６、図７に対して左右反転している。
【００８６】
液晶板１１０の表示は光学像に重畳表示されるが、ステップＳ９でケラレ領域の液晶シャッタ１２６を閉じて遮光状態とされている。このため、その領域についてはＯＶＦで光学像が視認できない。その結果、図９に示すように、ファインダ接眼部３８では、ケラレ領域Ｋの枠Ｆの内側の領域Ｋ’についてはＥＶＦの電子像、その他の部分は光学像Ｏが視認される。なお、枠Ｆの外側のケラレ領域Ｋについては、そのまま光学像が表示される。
【００８７】
シャッタボタン２４が半押しされると、Ｓ１ＯＮ信号がＣＰＵ２１０に入力され、ＣＰＵ２１０はＡＦ検出回路２５０及びＡＥ・ＡＷＢ検出回路２５２を介してＡＥ／ＡＦ／ＡＷＢ動作を実施する。
【００８８】
シャッタボタン２４が全押しされることによりＣＰＵ２１０に撮影指示（Ｓ２ＯＮ信号）が入力されると、ＣＰＵ２１０は所要の撮影制御を行って、ＣＣＤ１００で１コマ分の画像を撮像する。ＣＣＤ１００において撮像された１コマ分のＲ、Ｇ、Ｂの画像信号は、アナログ信号処理回路２２８、Ａ／Ｄ変換器２３０、画像入力コントローラ２３２を介してメモリ２２０に格納され、メモリ２２０から画像信号処理回路２３４に加えられる。画像信号処理回路２３４は、入力された画像信号に対して所要の信号処理を施して、輝度データと色差データとからなる画像データを生成する。
【００８９】
生成された画像データは、メモリ２２０に一旦格納された後、圧縮・伸張処理回路２３６に加えられ、所定の圧縮処理が施された後、メモリ２２０に再度格納される。
【００９０】
ＣＰＵ２１０は、このメモリ２２０に格納された圧縮画像データに対して所定の撮影情報を付加した所定フォーマットの画像ファイルを生成し、メディアコントローラ２３８を介してメモリカード２４０に記録する。
【００９１】
このようにしてメモリカード２４０に記録された画像データは、再生指令に応じてメモリカード２４０から読み出され、液晶モニタ３２に再生表示される。すなわち、再生ボタンによりＣＰＵ２１０に再生指示が入力されると、ＣＰＵ２１０は、メディアコントローラ２３８を介してメモリカード２４０に最後に記録された画像ファイルの圧縮画像データを読み出す。読み出された圧縮画像データは、圧縮・伸張処理回路２３６に加えられ、非圧縮の画像データとされたのちＶＲＡＭ２２２に格納される。そして、このＶＲＡＭ２２２に格納された画像ファイルが表示制御回路２４２に加えられ、モニタ表示用の信号形式に変換されて液晶モニタ３２に出力される。これにより、メモリカード２４０に記録されている画像が液晶モニタ３２に再生表示される。
【００９２】
また、十字ボタン等によって画像のコマ送りが指示されると、次の画像がメモリカード２４０から読み出され、液晶モニタ３２に再生表示される。また、コマ戻しが指示されると、１つ前の画像がメモリカード２４０から読み出され、液晶モニタ３２に再生表示される。
【００９３】
本実施の形態によれば、ケラレ領域のみＥＶＦで補助表示された光学像を視認することができる。その結果、ＯＶＦではケラレが回避できない場合においても、ＯＶＦで撮影画像全体を確認することができる。
【００９４】
なお、本実施の形態では、ステップＳ１０において液晶シャッタ１２６が遮光状態とされた領域に相当する領域の撮影画像を液晶板１１０に表示させたが、撮影画像全体を液晶板１１０に表示させてもよい。ただし、ケラレ領域以外については光学像と電子像の両方が視認されるため、ケラレ領域とそうでない領域とで明るさが異なることとなるが、処理は容易となる。また、液晶シャッタ１２６と撮影画像とがずれてしまう可能性を考慮し、光学像と電子像とが一部だけ重なるように撮影画像を液晶板１１０に表示させてもよい。
【００９５】
また、本実施の形態では、ケラレが発生する場合には、ケラレ領域の液晶シャッタ１２６を閉じて遮光状態とした（ステップＳ９）。しかしながら、遮光状態とする領域は、ケラレ領域を含む領域であればケラレ領域と同一の領域でなくてもかまわない。例えば、図６に示すようにケラレ領域Ｋが発生する場合には、図７に示す領域Ｋ’より数画素だけ広げた領域を遮光状態としても良い。
【００９６】
また、本実施の形態では、撮影レンズ１４にアクセサリ（例えば、レンズフード）が取り付け可能に構成されていないが、アクセサリを撮影レンズに取り付け可能に構成しても良い。アクセサリをつけるとケラレが大きくなるため、アクセサリを取り付け可能とする場合には、撮影レンズにアクセサリが取り付けられたことが検出できるような接点を設ける。そして、ＣＰＵ２１０がアクセサリが取り付けられたことを検出した場合には、ＣＰＵ２１０はファインダのモードをＥＶＦモードとするのが好ましい。ただし、アクセサリ側にＣＰＵ等があり、ＣＰＵ２１０がアクセサリの種類まで判別できるように構成されている場合には、アクセサリの種類によっては、ＣＰＵ２１０はファインダのモードをＯＶＦモードとしてもよい。例えば、アクセサリの種類（例えば、名称）と、焦点距離及び被写体距離と、ケラレ領域との関係をＥＥＰＲＯＭ２１８に記憶しておき、判別したアクセサリについての情報が記憶手段に記憶されている場合には、ＯＶＦモードとすることができる。
【００９７】
なお、本実施の形態では、ズームレンズ群を有する撮影レンズ１４を用いたが、ズームレンズ群は必須ではない。ズームレンズ群がない撮影レンズを用いる場合には、撮影レンズの焦点距離は固定であるため、ステップＳ５で焦点距離を求める必要はない。この場合には、ＥＥＰＲＯＭ２１８には、被写体距離と、撮影レンズによるケラレの発生の有無及びケラレ領域の位置との関係を記憶しておけばよい。また、焦点距離が短い場合には被写体距離によらずケラレが発生する場合も考えられる。例えば、図５に示すフローチャートのステップＳ５の後でステップＳ４を行うようにし、取得された焦点距離が所定の値より短い場合には、必ずケラレが発生する場合であるため、ステップＳ４を行わないようにしても良い。
【００９８】
＜第２の実施の形態＞
【００９９】
本発明の第２の実施の形態は、撮影画像のコントラストに基づいて電子像の領域を変える形態である。本実施形態によれば、ケラレ領域のみを電子像で表示して光学像に重畳表示した場合に、撮影対象によって光学像と電子像とのつなぎ目における見かけ上の不自然さを低減することができる。以下、第２の実施の形態に係るデジタルカメラ１０−１について説明する。なお、第１の実施の形態と同一の部分については説明を省略する。
【０１００】
図１０は、ファインダ表示の選択処理を示すフローチャートである。以下、図５に示すファインダ表示の選択処理と同様の工程については説明を省略する。
【０１０１】
ケラレが発生する場合（ステップＳ６でＹＥＳ）には、ＣＰＵ２１０は、撮影画像のうちのケラレ領域Ｋに相当する領域のコントラストを求める。そして、コントラストが所定の値以上である場合にはケラレ領域Ｋを遮光領域とする。コントラストが所定の値より小さい場合には、撮影画像のうちのケラレ領域Ｋに相当する領域よりも大きい領域でコントラストが所定の値となる領域を遮光状態とする（ステップＳ１１）。撮影画像のうちのケラレ領域Ｋに相当する領域のコントラストの算出は、例えば、ＡＦ検出回路２５０がＡＦエリア内の焦点評価値を算出する方法と同様の方法を用いることができる。
【０１０２】
ＣＰＵ２１０は、ステップＳ１１で求められた遮光領域の液晶シャッタ１２６を閉じて遮光状態とする（ステップＳ１２）。これにより、遮光領域については光学像が視認できないようになる。
【０１０３】
ＣＰＵ２１０は、ＣＣＤ１００で撮影された撮影画像の遮光領域に相当する領域の画像を液晶板１１０に表示させる。また、ＣＰＵ２１０は、撮影範囲を示す枠Ｆを液晶板１１０に表示させる（ステップＳ１３）。その結果、遮光領域については電子像が表示され、その他の領域については光学像が表示され、かつ枠が重ねて表示されたものがファインダ接眼部３８で視認される。
【０１０４】
本実施の形態によれば、コントラストが大きい領域に光学像と電子像とのつなぎ目が位置するため、つなぎ目を目立たなくすることができる。その結果、ファインダで視認される画像を自然な光学像に近づけることができる。
【０１０５】
なお、本実施の形態では、ステップＳ１１で撮影画像のうちのケラレ領域Ｋに相当する領域のコントラストに基づいて遮光領域を求めたが、本発明はこれに限定されるものではない。撮影画像のうちのケラレ領域Ｋの周辺部分の所定領域、例えば、光学像とのつなぎ目近傍の所定の幅の領域のコントラストに基づいて遮光領域を求めても良い。
【０１０６】
＜第３の実施の形態＞
本発明の第２の実施の形態では、撮影画像のコントラストに基づいて遮光領域を求めて光学像と電子像とのつなぎ目を目立たなくした形態であるが、光学像と電子像とのつなぎ目を目立たなくする方法はこれに限られない。
【０１０７】
本発明の第３の実施の形態は、電子像と光学像の色差を小さくすることによりつなぎ目を目立たなくする形態である。以下、第３の実施の形態に係るデジタルカメラ１０−２について説明する。なお、第１の実施の形態と同一の部分については説明を省略する。
【０１０８】
図１１は、ファインダ表示の選択処理を示すフローチャートである。以下、図５に示すファインダ表示の選択処理と同様の工程については説明を省略する。
【０１０９】
ケラレ領域の液晶シャッタ１２６を閉じて遮光状態とされた場合（ステップＳ９）、ＣＰＵ２１０は、ＡＥ・ＡＷＢ検出回路２５２に指示を出し、ＡＥ・ＡＷＢ検出回路２５２は、撮影画像の色と光学像の色との差が最小となるように、撮影画像のホワイトバランスを調整する（ステップＳ１４）。例えば、光源が蛍光灯の場合には、通常はＧの比率が低くなるようにホワイトバランスを調整するが、このステップＳ１４ではある程度Ｇを残すようにホワイトバランスを調整する。この処理は、光源種とホワイトバランス調整値との関係をＥＥＰＲＯＭ２１８等に記憶させておくことで可能となる。光源種に関わらず、通常のホワイトバランス調整値より低いホワイトバランス調整値を用いてホワイトバランスの調整（例えば、通常のホワイトバランス調整値の半分程度）を行うようにしてもよい。また、被写体の明るさ等によってはホワイトバランス調整を行わないようにしてもよい。なお、撮影画像の色と光学像の色との差が最小となるようにホワイトバランス調整を行う対象は、液晶板１１０に出力する撮影画像のみとしてもよい。この場合、液晶モニタ３２に出力する画像及びメモリカード２４０に記録する画像については、光源に合わせて通常のホワイトバランス調整を行うようにしてもよい。
【０１１０】
ＣＰＵ２１０は、ステップＳ１４でホワイトバランスが調整された撮影画像のケラレ領域に相当する領域の画像を液晶板１１０に表示させる。また、ＣＰＵ２１０は、撮影範囲を示す枠Ｆを液晶板１１０に表示させる（ステップＳ１５）。
【０１１１】
本実施の形態によれば、光学像と電子像との色差が最小となるようにするため、つなぎ目を目立たなくすることができる。
【０１１２】
＜第４の実施の形態＞
本発明の第１の実施の形態では、ケラレ領域のみをＥＶＦで光学像に重畳表示したが、ケラレ領域の大きさによってはＥＶＦの方が適している可能性もある。
【０１１３】
本発明の第４の実施の形態は、ケラレが発生する場合にＯＶＦかＥＶＦかの切り替えを行う形態である。以下、第４の実施の形態に係るデジタルカメラ１０−３について説明する。なお、第１の実施の形態と同一の部分については説明を省略する。
【０１１４】
図１２は、ファインダ表示の選択処理を示すフローチャートである。以下、図５に示すファインダ表示の選択処理と同様の工程については説明を省略する。
【０１１５】
ケラレが発生する場合（ステップＳ６でＹＥＳ）には、ＣＰＵ２１０は、ＯＶＦとＥＶＦとの重畳表示モードと、ＯＶＦの光画像を表示せず撮影画像の電子像をＥＶＦで表示するＥＶＦモードとのどちらが適しているかを判断する（ステップＳ１６）。ＣＰＵ２１０は、ケラレ領域の大きさがある閾値より大きい場合にはＥＶＦモードが適していると判断することができる。また、ＣＰＵ２１０は、ステップＳ１１と同様の方法により撮影画像のうちのケラレ領域Ｋに相当する領域のコントラストを算出し、コントラストが所定の値より小さい場合にはＥＶＦモードが適していると判断することもできる。また、ＣＰＵ２１０は、液晶板１１０に選択画面を表示し、ユーザに重畳表示モードかＥＶＦモードかの選択を促すようにしても良い。この場合には、ユーザがファインダ切り替えレバー１８を介して選択した結果をＣＰＵ２１０が認識してモードを判断するようにすれば良い。
【０１１６】
ステップＳ１６で重畳表示モードが適していると判断された場合には、ＣＰＵ２１０は、ケラレ領域の液晶シャッタ１２６を閉じて遮光状態とし（ステップＳ９）、ＣＣＤ１００で撮影された撮影画像のステップＳ９で遮光状態とした領域に相当する領域の画像を液晶板１１０に表示させる。また、ＣＰＵ２１０は、撮影範囲を示す枠Ｆを液晶板１１０に表示させる（ステップＳ１０）。
【０１１７】
ステップＳ１６でＥＶＦモードが適していると判断された場合には、ＣＰＵ２１０は、液晶シャッタ１２６を閉じて全遮光状態とし、ファインダ対物部２０から入射した被写体の光学像を視認できないようにする（ステップＳ２）。そして、ＣＰＵ２１０は、生成された画像データを順次表示制御回路２４２に加え、表示制御回路２４２でモニタ表示用の信号形式に変換されて液晶板１１０に出力される（ステップＳ３）。
【０１１８】
本実施の形態によれば、つなぎ目が目立つ場合等には、つなぎ目のないＥＶＦ表示にすることができる。
【０１１９】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【０１２０】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【０１２１】
１０…デジタルカメラ、１２…カメラ本体、１４…撮影レンズ、２４…シャッタボタン、３８…ファインダ接眼部、３２…液晶モニタ、１００…ＣＣＤ、１１０…液晶板、１１２…ＥＶＦレンズ、１２０…対物レンズ、１２２…プリズム、１２２Ｍ…ハーフミラー面、１２４…接眼レンズ、１２６…液晶シャッタ、２６０…ケラレ領域検出回路
【図１】
0005530569.tif 000002
【図２】
0005530569.tif 000003
【図３】
0005530569.tif 000004
【図４】
0005530569.tif 000005
【図５】
0005530569.tif 000006
【図６】
0005530569.tif 000007
【図７】
0005530569.tif 000008
【図８】
0005530569.tif 000009
【図９】
0005530569.tif 000010
【図１０】
0005530569.tif 000011
【図１１】
0005530569.tif 000012
【図１２】
0005530569.tif 000013